(57)【要約】【課題】高圧放電ランプの点灯時に高温に熱せられることなく、当該ランプの始動性能を高める紫外線を放電容器に向けて効率良く照射できる位置に、始動補助光源を簡単且つ確実に取り付けることができるようにすると同時に、始動補助光源を製作コストが嵩まない簡易な構成とする。【解決手段】希ガスを充填した透光性を有する気密容器１８に当該容器を貫通するパイプ部１９を設けた始動補助光源３が、そのパイプ部１９に、凹面反射鏡２のボトム孔１４に固定された電極封着部９Ｌの端面１０から突出した電極リード８を挿し通して、当該電極リード８に装着されている。【選択図】図１
2010251179.tif 000002
【特許請求の範囲】
【請求項１】
発光管の中央部に、一対の電極が対向して配置されると共に、少なくとも水銀と始動用ガスが充填された放電容器が形成され、当該放電容器から発光管の両端にかけて一対の電極封着部が形成され、当該電極封着部の端面から突出した電極リードを介して点灯回路に接続される高圧放電ランプと、当該ランプの片方の電極封着部が反射鏡底部に開口するボトム孔に挿通して固定された凹面反射鏡と、前記ランプの点灯始動時にその始動性能を高める紫外線を前記放電容器に向けて照射する始動補助光源とを備えた光源装置において、希ガスを充填したセラミックス製の気密容器に当該容器を貫通するパイプ部を設けた始動補助光源が、前記パイプ部に、前記凹面反射鏡のボトム孔に固定された前記電極封着部の端面から突出した電極リードを挿し通して、当該電極リードに装着されると共に、前記気密容器の全体もしくは前記電極封着部の端面と対向する部分が透光性セラミックスで形成されていることを特徴とする光源装置。
【請求項２】
前記気密容器が、両端が開口した筒状の容器本体と、当該容器本体の両端開口部を閉栓する一対の穴開きキャップと、当該両キャップの穴に挿嵌してその穴を塞ぐ前記パイプ部とで組み立てられる請求項１記載の光源装置。
【請求項３】
前記電極封着部の端面と対向する穴開きキャップが、透光性セラミックスで形成されている請求項２記載の光源装置。
【請求項４】
前記気密容器が、外筒の片端と前記パイプ部となる内筒の片端とを繋げるように一体化させて外筒の片端を閉塞した二重筒構造の容器本体と、前記内筒の他端側を穴に挿嵌して前記外筒の他端側開口部を閉栓する穴開きキャップとで組み立てられる請求項１記載の光源装置。
【請求項５】
前記気密容器が、ボディと当該ボディにかぶせるキャップとで組み立てられるカプセル型の容器で成り、前記ボディと前記キャップに前記パイプ部を挿嵌する穴が設けられている請求項１記載の光源装置。
【請求項６】
前記パイプ部が、セラミックパイプで成り、当該パイプ部に挿し通した前記電極リードに、当該電極リードが突出した前記電極封着部の端面から離反する方向への前記パイプ部の移動を阻止するストッパ金具が溶接されている請求項１、２、３、４又は５記載の光源装置。
【請求項７】
前記パイプ部が、金属パイプで成り、当該パイプ部の端部が当該パイプ部に挿し通した前記電極リードに溶接されている請求項１、２、３又は５記載の光源装置。
【発明の詳細な説明】
【技術分野】
【０００１】
本発明は、液晶プロジェクタやＤＬＰプロジェクタなどに用いられる光源装置に関する。
【背景技術】
【０００２】
小型で且つ投影画像が明るいことが要求される液晶プロジェクタやＤＬＰプロジェクタの光源装置は、その光源として、小型で高輝度発光が得られるショートアークタイプの高圧水銀蒸気放電ランプを用いているが、この種のランプは、概して冷間時（cold condition）の始動性能や熱間時（hot restrike）の再始動性能が良くないという問題があるため、始動補助光源を設けて始動性能を高めることとしている。
【０００３】
図７に示す従来の光源装置は、石英ガラス管で成る発光管５２の中央部に、一対のタングステン電極５６、５６が約１ｍｍ程度の短い電極間距離で互いに対向して配置されると共に、水銀と臭素等のハロゲンとアルゴンガス等の始動用ガスとが充填された放電容器５４が形成され、当該放電容器５４から発光管５２の両端にかけて、電極５６と金属箔５７と電極リード５８とを封着した一対の電極封着部５９Ｒ、５９Ｌが形成され、当該電極封着部５９Ｒ、５９Ｌの端面から突出した電極リード５８、５８を介して点灯回路に接続されるショートアークタイプの高圧水銀蒸気放電ランプ５１と、当該ランプ５１の片方の電極封着部５９Ｌが反射鏡底部に開口するボトム孔６２に挿通して固定された凹面反射鏡６１と、ランプ５１の点灯始動時にその始動性能を高める紫外線を放電容器５４に向けて照射する始動補助光源となるイグニションアンテナ６３とを備えている（特許文献１参照）。        
【０００４】
イグニションアンテナ６３は、図８（ａ）に示す拡大図および同図（ｂ）に示すＸ−Ｘ断面図のとおり、電極封着部５９Ｌに沿ってランプ５１の放電容器５４の近くまで延びた長い直管部分６５ａの先端に、電極封着部５９Ｌの外周部に１８０度巻き付けるように半円弧状に曲げられた曲管部分６５ｂが設けられた石英ガラス管で成るアンテナ容器６４内に、イオン化充填物である水銀とアルゴンガスが充填されると共に、当該アンテナ容器６４の直管部分６５ａの自由端側に金属箔（モリブデン箔）で成る電気的導体素子６６が収容配設され、その直管部分６５ａの自由端側に、金属ブッシュで成る外部電極６７が嵌め付けられた構成となっている。
【０００５】
そして、イグニションアンテナ６３は、外部電極６７の部分がセメント６８で電極封着部５９Ｌの外周部に固定され、その外部電極６７が、電流供給導体６９を介して、高圧放電ランプ５１の点灯回路を形成する電流導体７０Ｒ、７０Ｌ間に接続された電圧変成手段７１の出力部に接続されて、外部電極６７とアンテナ容器６４内の電気的導体素子６６との間に高周波ＡＣ電圧あるいはパルス電圧等の始動用電圧が印加されることにより、その間に放電が生じて紫外線を発生し、この紫外線をアンテナ容器６４の直管部分６５ａと曲管部分６５ｂを通じてランプ５１の放電容器５４内に照射して、電極５６、５６間のアーク放電を促すようになっている。
【０００６】
しかし、直管部分６５ａと曲管部分６５ｂが連なるアンテナ容器６４を製作するのは面倒であり、その製作コストが嵩むという欠点がある。また、アンテナ容器６４は、曲管部分６５ｂが、ランプ点灯時に１０００℃前後の高温となるランプ５１の放電容器５４に近接しているため、その高温の影響でランプ消灯直後は外部電極６７と電気的導体素子６６との間の放電が不安定となって、熱間時における再始動性能が芳しくないという問題があると同時に、アンテナ容器６４が熱的損傷を受けて破損するおそれも大きい。
【０００７】
また、外部電極６７と電気的導体素子６６との間の放電によって発生した紫外線が、アンテナ容器６４の長い直管部分６５ａと曲管部分６５ｂを通じてランプ５１の放電容器５４内へと導かれる過程で、反射、屈折したり、アンテナ容器６４内の充填物に吸収されて減衰するという不具合がある。また、アンテナ容器６４の曲管部分６５ｂが、ランプ５１の放電容器５４の片側に近接して配置されることにより、ランプ点灯時における温度分布が放電容器５４の片側と反対側とで著しく異なって、ランプ寿命が損なわれるおそれがあると同時に、アンテナ容器６４の曲管部分６５ｂが、ランプ５１の放電容器５４から凹面反射鏡６１の底部側に放射される光の一部を遮ってランプの光利用効率を低下させるという不具合もある。更に、イグニションアンテナ６３を電極封着部５９Ｌの外周部に固定するセメント６８の経時劣化（熱劣化）によって、イグニションアンテナ６３が電極封着部５９Ｌの外周部から脱落するおそれもある。
【０００８】
そこで本願出願人は、図９に示す如く、高圧放電ランプ５１の点灯始動時に紫外線を発生するグロー放電管８０が、凹面反射鏡８１の外部から当該反射鏡に設けられた冷却エアの通風孔８２を通じてランプ５１の放電容器５４に紫外線を照射することができる位置に配設された光源装置を提案した（特許文献２参照）。
【０００９】
図９の光源装置は、図７の高圧放電ランプと同様の基本構造を有する高圧放電ランプ５１が、片方の電極封着部５９Lを凹面反射鏡８１の底部に開口するボトム孔８３に挿通して当該反射鏡８１と一体的に取り付けられると共に、当該ランプ５１の点灯始動時にその始動性能を高める紫外線を放電容器５４に向けて照射する始動補助光源となるグロー放電管８０が、反射鏡８１の外部に配設されているので、当該放電管８０は、ランプ点灯時に高温に熱せられてその内部の水銀蒸気圧が過度に上昇することがなく、ランプ消灯直後の熱間時においてもグロー放電を生じて紫外線を発生させることができる。
【００１０】
また、グロー放電管８０は、石英ガラスで成るガラス封管８４の内部に、水銀蒸気を含むアルゴンガス等の希ガスが封入されると共に、当該ガラス封管８４の両端から突出する一対のリード線８６、８６を有した金属箔で成る内部電極８５が収容配設され、そのガラス封管８４の外周部に線径約０．２ｍｍのクロミウム・アルミニウム鉄合金線８９を巻き付けて形成されるコイル状の外部電極８７が配設された簡易な構造となっているので、製作コストも嵩まないという利点がある。
【００１１】
そして、グロー放電管８０の内部電極８５と外部電極８７が、夫々ランプ点灯回路の片極側８８Ｒと他極側８８Ｌに接続されて、その内部電極８５と外部電極８７との間に始動用の高周波パルス電圧が印加されることにより、放電管８０の本体となるガラス封管８４内の水銀蒸気中でグロー放電が生じて紫外線が発生し、その紫外線の一部が、反射鏡８１に設けられた冷却エアの通風孔８２を通じて反射鏡８１の内部に配置されたランプ５１の放電容器５４に直接照射されるかあるいは反射鏡８１の反射面で反射して照射されるようになっている。
【００１２】
しかしながら、放電管８０の設置位置が反射鏡８１の通風孔８２から離れていると、その通風孔８２を通じて反射鏡８１内に照射される紫外線量が少なくなって、ランプ５１の始動性能が低下するという問題があり、また、放電管８０を反射鏡８１の通風孔８２に近接させて設置すると、その放電管８０で通風孔８２が塞がれて冷却エアの流通が妨げられるため、ランプ５１の冷却効果が低下するという問題がある。
【００１３】
また、放電管８０は、その外周部に設けるコイル状外部電極８７のコイルの巻き数が少ないと、紫外線の発生量が少ないので、ランプ５１の放電容器５４に向けて必要十分な量の紫外線を照射することができず、また、コイル状外部電極８７のコイルの巻き数を多くすると、当該外部電極８７で紫外線が遮られて、ランプ５１の放電容器５４に必要十分な量の紫外線を照射することができないという問題もある。
【００１４】
次に、図１０（ａ）に示す高圧放電ランプ９１は、上記の高圧放電ランプ５１とは型式・構造が異なるもので、放電容器９２と、当該放電容器に向けて紫外線を照射する始動補助光源となるＵＶエンハンサ９３とが、ランプキャップ（口金）９４を有する外バルブ９５の内部に収容配設されている（特許文献３参照）。
【００１５】
放電容器９２は、その内部に対向して配設される一対の内部電極９６Ｌ、９６Ｒが、各々給電ワイヤ９７、９８を介してランプキャップ９４の一方の接点と他方の接点に夫々接続されている。
【００１６】
ＵＶエンハンサ９３は、図１０（ｂ）に示す断面図の如く、焼結多結晶質のＡｌ２Ｏ３から成るセラミック材料によって管壁が形成されたＵＶ放電管９９の内部に、希ガスのアルゴンガスが充填されると共に、そのＵＶ放電管９９の片端側に封着された直径６２０μｍのニオブロッドで成るリードスルー導体１００の先端部に溶接した直径１７０μｍのタングステンロッドで成る内部電極１０１が配設されている。そして、当該内部電極１０１がリードスルー導体１００を介して給電ワイヤ９７に接続されると共に、ＵＶ放電管９９が、リードスルー導体１００に支持されて給電ワイヤ９８の近くに配置され、当該給電ワイヤ９８と容量的に結合されてＵＶ源として働くようになっている。
【００１７】
しかしながら、図１０（ａ）の高圧放電ランプ９１は、始動補助光源となるＵＶエンハンサ９３が、放電容器９２から放射される光を遮って、有効光の利用効率を低下させたり、照度ムラや影を生じさせるという欠点がある。また、ＵＶエンハンサ９３は、セラミック材料で成るＵＶ放電管９９の片端側をリードスルー導体１００で支持した構成となっているため、高圧放電ランプ９１に外部から衝撃が加わると、その衝撃でＵＶ放電管９９が大きく揺れ動き、当該放電管９９の動的荷重でリードスルー導体１００が変形して、放電管９９が位置ずれを生じ、給電ワイヤ９８との容量結合が損なわれてＵＶ源としての機能を果たさなくなったり、給電ワイヤ９７に接続されたリードスルー導体１００が他方の給電ワイヤ９８と接触して短絡事故を生ずるおそれがある。
【先行技術文献】
【特許文献】
【００１８】
【特許文献１】特許第４１１２６３８号公報
【特許文献２】登録実用新案第３１３７９６１号公報
【特許文献３】特表平１１−５１３１８２号公報
【発明の概要】
【発明が解決しようとする課題】
【００１９】
本発明は、高圧放電ランプの点灯時に高温に熱せられることなく、当該ランプの始動性能を高める紫外線を放電容器に向けて効率良く照射できる位置に、始動補助光源を簡単且つ確実に取り付けることができるようにすると同時に、始動補助光源を製作コストが嵩まない簡易な構成とすることを技術的課題としている。
【課題を解決するための手段】
【００２０】
上記課題を解決するために、本発明は、発光管の中央部に、一対の電極が対向して配置されると共に、少なくとも水銀と始動用ガスが充填された放電容器が形成され、当該放電容器から発光管の両端にかけて一対の電極封着部が形成され、当該電極封着部の端面から突出した電極リードを介して点灯回路に接続される高圧放電ランプと、当該ランプの片方の電極封着部が反射鏡底部に開口するボトム孔に挿通して固定された凹面反射鏡と、前記ランプの点灯始動時にその始動性能を高める紫外線を前記放電容器に向けて照射する始動補助光源とを備えた光源装置において、希ガスを充填したセラミックス製の気密容器に当該容器を貫通するパイプ部を設けた始動補助光源が、前記パイプ部に、前記凹面反射鏡のボトム孔に固定された前記電極封着部の端面から突出した電極リードを挿し通して、当該電極リードに装着されると共に、前記気密容器の全体もしくは前記電極封着部の端面と対向する部分が透光性セラミックスで形成されていることを特徴とする。
【発明の効果】
【００２１】
本発明によれば、高圧放電ランプの点灯始動時にその始動性能を高める紫外線を放電容器に向けて照射する始動補助光源が、希ガスを充填したセラミックス製の気密容器に当該容器を貫通するパイプ部を設けた簡易な構成となっているから、その製作コストが嵩まない。また、本発明の始動補助光源は、前記パイプ部に、凹面反射鏡のボトム孔に固定された電極封着部の端面から突出した電極リードを挿し通して、当該電極リードに簡単且つ確実に装着することができる。また、当該電極リードに装着された始動補助光源は、高圧放電ランプの点灯時に高温に熱せられることなく、当該ランプの始動性能を高める紫外線を電極封着部の端面から放電容器に向けて効率良く照射することができる。
【図面の簡単な説明】
【００２２】
【図１】本発明に係る光源装置の一例を示す図
【図２】図１の光源装置が有する始動補助光源の斜視図
【図３】図１、２の始動補助光源の構成部材を示す分解図
【図４】始動補助光源の変形例を示す図
【図５】始動補助光源の変形例を示す図
【図６】始動補助光源の変形例を示す図
【図７】高圧放電ランプの始動性能を高めるための従来技術を示す図
【図８】高圧放電ランプの始動性能を高めるための従来技術を示す図
【図９】高圧放電ランプの始動性能を高めるための従来技術を示す図
【図１０】高圧放電ランプの始動性能を高めるための従来技術を示す図
【発明を実施するための形態】
【００２３】
本発明に係る光源装置の実施形態は、石英ガラスで成る発光管の中央部に、一対のタングステン電極が対向して配置されると共に、少なくとも水銀と始動用ガスが充填された放電容器が形成され、当該放電容器から発光管の両端にかけて一対の電極封着部が形成され、当該電極封着部の端面から突出したモリブデンワイヤで成る電極リードを介して点灯回路に接続される高圧放電ランプと、当該ランプの片方の電極封着部が反射鏡底部に開口するボトム孔に挿通して固定された凹面反射鏡と、前記ランプの点灯始動時にその始動性能を高める紫外線を前記放電容器に向けて照射する始動補助光源とを備えている。
【００２４】
始動補助光源は、アルゴンガス等の希ガスもしくは水銀蒸気を含む希ガスを充填したセラミック製の気密容器に当該容器の中心を貫通するパイプ部を設けた構成となっており、当該パイプ部に、凹面反射鏡のボトム孔に固定された電極封着部の端面から突出した電極リードを挿し通して、当該電極リードに装着されている。
【００２５】
始動補助光源を構成する気密容器は、例えば、両端が開口した筒状の容器本体と、当該容器本体の両端開口部を閉栓する一対の穴開きキャップと、当該両穴開きキャップの穴に挿嵌する前記パイプ部とで組み立てられると共に、前記電極封着部の端面から突出した電極リードに装着されたときにその電極封着部の端面と対向する部分が透光性セラミックスで形成されている。
【００２６】
また、気密容器の中心を貫通するように設けるパイプ部は、セラミックパイプもしくはニオブパイプ等の金属パイプで形成されている。なお、前記パイプ部が、セラミックパイプで形成されている場合は、当該パイプ部に挿し通した前記電極リードに、当該電極リードが突出した電極封着部の端面から離反する方向への前記パイプ部の移動を阻止するストッパ金具が溶接されている。また、前記パイプ部が、金属パイプで形成されている場合は、当該パイプ部の端部が当該パイプ部に挿し通した前記電極リードに溶接されている。
【実施例１】
【００２７】
図１は本発明に係る光源装置の一例を示す図、図２はその光源装置が有する始動補助光源の斜視図、図３は始動補助光源の構成部材を示す分解図であって、図１の光源装置は、高圧放電ランプ１と、当該ランプ１から放射される光を反射する凹面反射鏡２と、ランプ１の始動性能を高める紫外線を発生する始動補助光源３とを備えている。
【００２８】
高圧放電ランプ１は、石英ガラスで成る発光管４の中央部に形成された放電容器５内に、一対のタングステン電極６Ｒ、６Ｌが約１ｍｍ程度の短い極間距離で対向して配置されると共に、水銀と臭素等のハロゲンとアルゴンガス等の始動用ガスとが封入され、その放電容器５から発光管４の両端に至る部分を気密に封止して、各電極６Ｒ、６Ｌとこれに接続されたモリブデン箔で成る金属箔７と線径約１．２ｍｍのモリブデンワイヤで成る電極リード８とを封着した一対の電極封着部９Ｒ、９Ｌが形成されている。
【００２９】
そして、電極封着部９Ｒ、９Ｌの端面１０、１０から突出した電極リード８、８が、ランプ電力を供給する点灯回路１１の片極側１２Ｒと他極側１２Ｌに夫々接続されると共に、電極６Ｒ、６Ｌ間のアーク放電を促すトリガ線となる金属線１３が、その片端側を電極封着部９Ｒの端面１０から突出した電極リード８に接続し、その他端側を電極封着部９Ｌの外周部にループ状に巻き付けるように配線されている。
【００３０】
凹面反射鏡２は、その底部に、高圧放電ランプ１の片方の電極封着部９Ｌを挿通させてセメント等で固定するボトム孔１４が開口形成されると共に、その反射部に、高圧放電ランプ１の他方の電極封着部９Ｒから突出する電極リード８に接続されたニッケル線で成るリード線１５を挿し通す配線孔１６が穿設され、その反射部の背面に、配線孔１６から引き出されたリード線１５を固定する配線金具１７が固着されている。
【００３１】
始動補助光源３は、アルゴンガスもしくは水銀蒸気を含むアルゴンガスを５〜１００torr程度の圧力で充填したセラミックス製の気密容器１８に、当該容器１８の中心を貫通するパイプ部１９が設けられた構成となっており、そのパイプ部１９に、凹面反射鏡２のボトム孔１４に固定された電極封着部９Ｌの端面１０から突出した電極リード８を挿し通して、当該電極リード８に装着されている。
【００３２】
始動補助光源３を構成する気密容器１８は、外径約５．２ｍｍ、内径約４．０ｍｍ、長さ約８．０ｍｍの円筒状の容器本体２０と、当該容器本体２０の両端開口部を閉栓する一対の穴開きキャップ２１Ｒ、２１Ｌと、当該両穴開きキャップ２１Ｒ、２１Ｌの穴２２、２２に挿嵌するパイプ部１９とで組み立てられている。
【００３３】
穴開きキャップ２１Ｒ、２１Ｌは、同一の形状及びサイズを有するもので、容器本体２０の開口端に当接する円板状のフランジ部２３が外径約５．２ｍｍ、厚さ約１．０ｍｍ、容器本体２０の開口部に嵌め入れる円筒部２４の外径が約３．８ｍｍ、穴２２の径が約２．２ｍｍに形成されている。また、穴開きキャップ２１Ｒ、２１Ｌの穴２２、２２に挿嵌するパイプ部１９は、外径約２．０ｍｍ、内径約１．４ｍｍ、長さ約１２ｍｍに形成されている。なお、容器本体２０とその両端開口部を閉栓する穴開きキャップ２１Ｒ、２１Ｌとの間に生ずる隙間と、穴開きキャップ２１Ｒ、２１Ｌの穴２２、２２とその穴に挿嵌するパイプ部１９との間に生ずる隙間は、それらの隙間に充填して溶融固化させたガラスフリットによって気密にシールされている。
【００３４】
気密容器１８の全体、もしくはその容器本体２０と、電極封着部９Ｌの端面１０と対向する穴開きキャップ２１Ｒが、高純度・高密度な透光性アルミナ（Ａｌ２Ｏ３）セラミックスで形成されている。また、穴開きキャップ２１Ｒ、２１Ｌの穴２２、２２に挿嵌するパイプ部１９は、セラミックパイプで形成されるか、もしくは気密容器１８を形成するセラミックスと熱膨張率が近似するニオブパイプ等の金属パイプで形成されている。
【００３５】
始動補助光源３のパイプ部１９が金属パイプで成る場合は、当該パイプ部１９に電極封着部９Ｌの端面１０から突出した電極リード８を挿し通して、始動補助光源３を電極封着部９Ｌの端面１０と接触もしくは近接させるように配置した状態で、パイプ部１９の端部を電極リード８に溶接して、始動補助光源３を電極リード８に固定させる。
【００３６】
また、始動補助光源３のパイプ部１９がセラミックパイプで成る場合は、当該パイプ部１９に電極リード８を挿し通して、始動補助光源３を電極封着部９Ｌの端面１０と接触もしくは近接させるように配置した後、図２鎖線図示の如く、スリーブ型のストッパ金具２５を電極リード８の外周に嵌め付けて当該電極リード８に溶接することにより、パイプ部１９が電極封着部９Ｌの端面１０から離反する方向へ移動することが阻止される。
【００３７】
これにより、始動補助光源３は、高圧放電ランプ１の点灯時に高温に熱せられることがなく、当該ランプ１の放電容器５に向けて紫外線を効率良く照射できる位置に、簡単且つ確実に取り付けることができる。また、始動補助光源３を取り付ける電極リード８は、剛直性を有する線径約１．２ｍｍのモリブデンワイヤで形成されているから、光源装置が衝撃を受けても、その衝撃によって始動補助光源３が位置ずれを生ずるおそれはない。また、始動補助光源３は、気密容器１８に当該容器を貫通するパイプ部１９を設けて、当該パイプ部１９に電極リード８を挿し通すだけで当該リード８に装着させることができる簡易な構成となっているから、製作コストも嵩まない。
【００３８】
以上の如く構成された光源装置は、高圧放電ランプ１の点灯回路１１から放電容器５内の電極６Ｒ、６Ｌ間に始動用電圧が印加されたときに、始動補助光源３の気密容器１８内に充填されたアルゴンガスが励起されて、当該気密容器１８から紫外線が放射され、その紫外線の一部がランプ１の電極封着部９Ｌの端面１０から入射して放電容器１８の方向へ伝送されることにより、放電容器５内の始動用ガスが励起されると共に、電極６Ｒ、６Ｌを形成するタングステンが放電開始に必要な初期電子を放出して、高圧放電ランプ１の始動が促進されることとなる。
【００３９】
なお、始動補助光源３は、上記の構成によっても必要量の紫外線を放射することができるが、図１鎖線図示の如く、点灯回路１１の片極側（電極６Ｒ側）１２Ｒに接続された厚さ０．２ｍｍのバネ用ステンレス鋼板（ＳＵＳ３０４−ＣＳＰ）等の金属板で成る外部電極２６を気密容器１８の近傍に配設して、当該外部電極２６と点灯回路１１の他極側（電極６Ｌ側）１２Ｌに接続された電極リード８との間に気密容器１８内のアルゴンガスを励起する放電を生じさせるようにしてもよい。
【実施例２】
【００４０】
図４は始動補助光源の変形例を示す断面図であって、同図に示す始動補助光源３０は、アルゴンガス等の希ガスを充填するセラミックス製の気密容器３１に当該容器の中心を貫通するパイプ部３２が設けられている。気密容器３１は、テーパ筒状の容器本体３３と、当該容器本体の両端開口部を閉栓する大小一対の穴開きキャップ３４Ｒ、３４Ｌとで形成され、当該穴開きキャップ３４Ｒ、３４Ｌの中心に形成された同径の穴３５、３５にパイプ部３２が挿嵌されている。
【００４１】
始動補助光源３０は、図４（ａ）の如く、電極封着部９Ｌの端面１０と同等もしくはそれ以上の大きさを有する大サイズの穴開きキャップ３４Ｒで閉栓された気密容器３１の大径部側を電極封着部９Ｌの端面１０に向けて、当該端面１０から突出した電極リード８をパイプ部３２に挿し通した状態で電極リード８に装着されるか、あるいは、図４（ｂ）の如く、小サイズの穴開きキャップ３４Ｌで閉栓された気密容器３１の小径部側を電極封着部９Ｌの端面１０に向けて、当該端面１０から突出した電極リード８をパイプ部３２に挿し通した状態で電極リード８に装着されている。なお、始動補助光源３０が図４（ａ）の如く装着される場合は、穴開きキャップ３４Ｒが透光性セラミックスで形成され、また、始動補助光源３０が図４（ｂ）の如く装着される場合は、テーパ筒状の容器本体３３と穴開きキャップ３４Ｌが透光性セラミックスで形成される。
【００４２】
しかして、始動補助光源３０が図４（ａ）の如く装着されていると、気密容器３１内で発生した紫外線の一部が大サイズの穴開きキャップ３４Ｒを透過して、電極封着部９Ｌの端面１０へ効率良く入射され、また、始動補助光源３０が図４（ｂ）の如く装着されていると、気密容器３１の容器本体３３を透過する紫外線が電極封着部９Ｌの端面１０へ効率良く入射されるので、実施例１の始動補助光源３と比べて、高圧放電ランプ１の放電容器５に向けて照射される紫外線量が多くなるという利点がある。
【実施例３】
【００４３】
図５（ａ）は始動補助光源の変形例を示す分解斜視図、同図（ｂ）はその断面図であって、同図に示す始動補助光源３６は、アルゴンガス等の希ガスを充填するセラミックス製の気密容器３７が、外筒３９の片端と内筒４０の片端とを繋げるように一体化させて外筒３９の片端を閉塞した二重筒構造の容器本体３８と、内筒４０の他端側を穴４２に挿嵌して外筒３９の他端側開口部を閉栓する穴開きキャップ４１とで組み立てられ、容器本体３８の中心を貫通するように設けられた内筒４０が、図１に示す電極封着部９Ｌの端面１０から突出した電極リード８を挿し通すパイプ部となっている。
【００４４】
気密容器３７は、容器本体３８と穴開きキャップ４１の双方あるいは一方が透光性セラミックスで形成され、その透光性セラミックスで形成された部分を図１、図２あるいは図４に示す電極封着部９Ｌの端面１０に対向させるようにして当該端面１０から突出した電極リード８に装着される。なお、電極リード８に装着した気密容器３７は、図２に示すようなストッパ金具２５によって電極封着部９Ｌの端面１０から離反する方向への移動が阻止される。
【００４５】
本例の始動補助光源３６は、部品点数が少なく、組立加工も容易であるから、その製作コストが著しく低減されるという利点がある。
【実施例４】
【００４６】
図６（ａ）は始動補助光源の変形例を示す分解斜視図、同図（ｂ）はその断面図、同図（ｃ）はその組立状態を示す断面図である。図６に示す始動補助光源４３は、セラミック製の気密容器４４が、ボディ４５と当該ボディにかぶせるキャップ４６とで組み立てられるカプセル型の容器で成り、ボディ４５とキャップ４６には、気密容器４４の中心を貫通するパイプ部４７を挿嵌するための穴４８、４９が夫々設けられている。
【００４７】
また、気密容器４４は、キャップ４６の部分が透光性セラミックスで形成され、そのキャップ４６側を図１、図２あるいは図４に示す電極封着部９Ｌの端面１０に対向させるようにして当該端面１０から突出した電極リード８に装着される。また、気密容器４４の中心を貫通するパイプ部４７は、セラミックパイプもしくはニオブパイプ等の金属パイプで形成されている。なお、気密容器４４を形成するボディ４５とキャップ４６との隙間や、ボディ４５およびキャップ４６の穴４８、４９とその穴に挿嵌したパイプ部４７との間に生ずる隙間は、ガラスフリットによって気密にされる。
【産業上の利用可能性】
【００４８】
本発明は、液晶プロジェクタやＤＬＰプロジェクタ等の光源装置に用いられる高圧放電ランプの始動性能向上に資するものである。
【符号の説明】
【００４９】
１・・・高圧放電ランプ
２・・・凹面反射鏡
３・・・始動補助光源
４・・・発光管
５・・・放電容器
６Ｒ・・電極
６Ｌ・・電極
７・・・金属箔
８・・・電極リード
９Ｒ・・電極封着部
９Ｌ・・電極封着部
１０・・・電極封着部の端面
１１・・・点灯回路
１４・・・凹面反射鏡のボトム孔
１８・・・気密容器
１９・・・パイプ部
２０・・・気密容器の容器本体
２１Ｒ・・穴開きキャップ
２１Ｌ・・穴開きキャップ
２６・・・外部電極
３０・・・始動補助光源
３１・・・気密容器
３２・・・パイプ部
３３・・・気密容器の容器本体
３４Ｒ・・穴開きキャップ
３４Ｌ・・穴開きキャップ
３６・・・始動補助光源
３７・・・気密容器
３８・・・気密容器の容器本体
３９・・・外筒
４０・・・内筒（パイプ部）
４１・・・穴開きキャップ
４３・・・始動補助光源
４４・・・気密容器
４５・・・ボディ
４６・・・キャップ
４７・・・パイプ部
【図１】
2010251179.tif 000003
【図２】
2010251179.tif 000004
【図３】
2010251179.tif 000005
【図４】
2010251179.tif 000006
【図５】
2010251179.tif 000007
【図６】
2010251179.tif 000008
【図７】
2010251179.tif 000009
【図８】
2010251179.tif 000010
【図９】
2010251179.tif 000011
【図１０】
2010251179.tif 000012